(57)【要約】 【課題】光学ファインダ使用時に、表示位置を変更することのできない測距点枠の視認性を向上することを可能にした表示装置を提供すること。【解決手段】被写体像を観察できる光学ファインダと、光学ファインダ内にあり、測距点を中心に大きさの異なる複数の測距点枠を表示することができる表示部と、被写体像に表示部の表示画像を重畳させる重畳手段と、被写体像の輝度を測定する測光センサと、測光センサにより測定された被写体像の輝度から、複数の測距点枠に重畳される領域毎の被写体輝度に基づき測距点枠を選択する測距点枠選択部と測距点枠選択部の選択結果に基づいて表示部に測距点を表示させる表示制御部を備えることを特徴とする。【選択図】図１
2016102840.tif 000002
【特許請求の範囲】
【請求項１】
被写体像（Ａ）を観察できる光学ファインダ（１１５、１１６、１１７、１１８）と、
前記光学ファインダ内にあり、測距点を中心に大きさの異なる複数の測距点枠(３０１、３０２、３０３、３０４)を表示する表示手段（１０４、１０５）と、
前記被写体像に前記表示手段の表示画像を重畳させる重畳手段（１１４）と、
前記被写体像を測光する測光手段（１１２）と、
前記測光手段の測光結果から、前記大きさの異なる複数の測距点枠から表示する測距点枠を選択する測距点枠選択部（１０３）と、
前記測距点枠選択手段の選択結果に基づいて前記表示手段に測距点枠を表示することを特徴とする表示装置。
【請求項２】
前記測距点枠選択部は、前記大きさの異なる複数の測距点枠に重畳される領域毎に、前記被写体像の輝度の平均値を前記測光結果から算出し、前記大きさの異なる複数の測距点枠から、平均輝度が最も低い測距点枠を選択することを特徴とする請求項１に記載の表示装置。
【請求項３】
前記測距点枠選択部は、前記大きさの異なる複数の測距点枠に重畳される領域毎に、前記被写体像の輝度が最を小さい領域を含む測距点枠を前記大きさの異なる複数の測距点枠から選択することを特徴とする請求項１に記載の表示装置。
【発明の詳細な説明】
【技術分野】
【０００１】
本発明は、光学ファインダを搭載する表示装置に関し、特に光学ファインダ内での情報表示に関する。
【背景技術】
【０００２】
近年、撮像素子からのスルー画像を表示する電子ファインダを光学ファインダ内に配置し、電子ファインダの表示を光学ファインダの光路上に重畳して表示することが可能なハイブリッドファインダを搭載した撮影装置が実用化されている。
【０００３】
撮影素子からのスルー画像を電子ファインダで確認しながら撮影を行う場合の撮影者の撮影姿勢は、光学ファインダで被写体像を確認しながら撮影を行う場合と同じ撮影姿勢で撮影を行うことができる。電子ファインダは撮影素子からのスルー画像を表示する必要があるため、ＴＦＴ方式の液晶ディスプレイ等、表示素子の集合体である表示素子が用いられる。この電子ファインダを光学ファインダ使用時に、測距点枠等の情報表示に使用することも可能である。
【０００４】
しかし、光学ファインダ使用時に、情報表示を電子ファインダで表示する装置において、被写体像の輝度が高い場合は、電子ファインダでの情報表示が視認し難い場合がある。
【０００５】
そこで、光学ファインダ使用時の上記表示の視認性を良くするために、特許文献１では、被写体からの光束が結像して成る被写体光学像をユーザに視認させるための第１視野領域に隣接する第２視野領域においてユーザに視認させる情報を表示する情報表示部と、被写体の輝度を検出する検出部と、被写体の輝度に基づいて、第２視野領域における情報の位置を変更する変更部とを備える、ファインダユニット、画像表示装置、撮像装置、ファインダユニットの表示制御プログラムおよび画像表示装置の表示制御プログラムが開示されている。
【先行技術文献】
【特許文献】
【０００６】
【特許文献１】特開２０１３−２５７３７２号公報
【発明の概要】
【発明が解決しようとする課題】
【０００７】
しかしながら、表示位置を変更した場合、撮影者に正しい情報表示とならない測距点枠表示は、場所を変更することで視認性を良くすることができない。視認性を良くするためには表示部の表示輝度を高くする必要があり、撮影時の消費電力の増加になる。
【０００８】
そこで、本発明の目的は、光学ファインダ使用時に、表示位置を変更することのできない測距点枠の視認性を向上することを可能にした表示装置を提供することにある。
【課題を解決するための手段】
【０００９】
上記目的を達成するために、本発明は、被写体像を観察できる光学ファインダと、光学ファインダ内にあり、測距点を中心に大きさの異なる複数の測距点枠を表示する表示手段と、被写体像に表示手段の表示画像を重畳させる重畳手段と、被写体像を測光する測光手段と、測光手段の測光結果から、大きさの異なる複数の測距点枠から表示する測距点枠を選択する測距点枠選択部と、測距点枠選択手段の選択結果に基づいて前記表示手段に測距点枠を表示することを特徴とする。
【発明の効果】
【００１０】
本発明によれば、被写体像の輝度が低い部分に重畳されるように測距点枠の大きさを選択して表示することにより、測距点枠の視認性を向上することを可能にした表示装置の提供を実現できる。
【図面の簡単な説明】
【００１１】
【図１】実施形態にかかわる表示装置としてのデジタル一眼レフカメラの概略構成
【図２】ファインダ内表示部の測距点枠表示
【図３】光学ファインダにて観察できる被写体像
【図４】被写体像とファインダ内表示部が表示する測距点枠とが重畳された画像
【図５】測距点枠選択部が使用する被写体像の測光結果の領域
【図６】実施形態の測距点枠表示の動作を示すフローチャート
【発明を実施するための形態】
【００１２】
以下に、本発明の好ましい実施の形態を、添付の図面に基づいて詳細に説明する。
【００１３】
［実施例］
図１は本発明の実施形態にかかわる表示装置としてのデジタル一眼レフカメラの概略構成を示す図である。本実施形態としてのデジタル一眼レフカメラはレンズ２００、デジタル一眼レフカメラ本体１００を備える。レンズ２００は交換レンズであり、デジタル一眼レフカメラ本体１００に対して着脱自在であり、投影レンズ２０１と投影レンズ２０１を駆動するレンズ駆動部２０２が組み込まれている。
【００１４】
カメラ制御部１０１はデジタル一眼レフカメラ本体１００を制御する。操作部１０２は、レリーズスイッチ（不図示）を含む、デジタル一眼レフカメラ本体１００を撮影者が操作するための各種スイッチを有している。レリーズスイッチは、押し込み量によって２段のスイッチとして作用する。第１のストローク操作（半押し操作）されることでオンになる第１のスイッチ（以下ＳＷ１）と、第２ストローク操作（全押し操作）されることでオンになる第２のスイッチ（以下ＳＷ２）を含む。
【００１５】
メインミラー１１８はミラー駆動部１２０により駆動される。静止画撮影モード時は、投影レンズ２０１によって集光された被写体像Ａ（中心線のみを図示）の光路上にあり、被写体像Ａをファインダ方向へ導くために、９０度に被写体像Ａを折り曲げる。ピント板１１７はメインミラー１１８によって折り曲げされた被写体像Ａが結像するようになっている。このピント板１１７で結像した被写体像Ａはペンタプリズム１１６へ進む。撮影者はこの被写体像Ａをペンタプリズム１１６、接眼レンズ１１５を通じて観察することが可能となっている。
【００１６】
測光センサ１１２はピント板１１７に結像した被写体像Ａからの光を、ペンタプリズム１１６を通じで受光し、測光を行う。
【００１７】
本実施形態の測光センサ１１２は従来の多分割測光よりもより細かく被写体像Ａの情報を取得するために、ＣＣＤセンサまたはＣＭＯＳセンサ等、撮像画素の集合体である撮像素子を用いており、被写体像Ａの輝度を測定する。測光センサ１１２の測光結果は、露出値の決定等に用いるほか、測距点枠選択部１０３が測距点枠を選択するときにも用いられる。
【００１８】
メインミラー１１８は半透過ミラーとなっており、メインミラー１１８を透過した一部の被写体像Ａはサブミラー１１９を通じてＡＦセンサ１１３へと導かれる。ＡＦセンサ１１３は被写体像Ａの複数の領域の測距点を有し、周知の位相差方式にて測距を行う。カメラ制御部１０１はＡＦセンサ１１３の測距結果を基にレンズ駆動部２０２を通じて投影レンズ２０１を合焦位置に移動させる。
【００１９】
メインミラー１１８が投影レンズ２０１によって集光された被写体像Ａの光路外に退避すると、被写体像Ａは撮像素子１１１に結像する。シャッター１２１はシャッター駆動部１２２で駆動され、メインミラー１１８と撮像素子１１１との間に配置され、撮像素子１１１に到達する被写体像Ａの露光時間を制御する。
【００２０】
撮像素子１１１は光学像を電気信号に変換する光電変換手段である。被写体像Ａは撮像素子１１１によって光電変換され、画像処理部１１０にて静止画像や動画像に処理され、記録媒体制御部１０９を通じて、記録媒体１０８に記録される。また撮影された静止画像や動画像は背面表示制御部１０７を通じて背面表示部１０６に表示され、撮影者は背面表示部１０６を電子ファインダとして、撮影された静止画像や動画像を確認することが可能となっている。
【００２１】
ライブビュー撮影モード時や、動画撮影モード時は、画像処理部１１０は撮像素子１１１の出力信号を、スルー画像に処理し、背面表示部１０６に表示することで、撮影者は背面表示部１０６にて被写体像Ａを観察することができる。ファインダ内表示部１０４はファインダ内表示制御部１０５により制御され、ファインダ内表示部１０４の表示画像は、重畳部１１４にてピント板１１７に結像した被写体像Ａと重畳され、撮影者が観察することが可能となっている。
【００２２】
本実施形態のファインダ内表示部１０４は、静止画撮影モード時、測距点枠や撮影設定情報等を表示し、ライブビュー撮影モード時や、動画撮影モード時は、背面表示部１０６と同じスルー画像を表示することが可能で、電子ファインダとしても使用できる。また表示画素が格子状に配置された表示素子であるＴＦＴ方式の液晶ディスプレイを用いる。フ表示輝度はＬＥＤバックライトの点灯輝度にて調整することが可能である。なお有機ＥＬディスプレイ等、表示画素が格子状に配置され、表示輝度を調整できる他の表示素子を用いてもよい。静止画撮影モード時にファインダ内表示部１０４にて測距点枠を表示する場合、ファインダ内表示部１０４の表示画素の間隔で測距点枠の大きさを変更することが可能となっている。
【００２３】
図２はファインダ内表示部の測距点枠表示を示す図である。３００はファインダ内表示部１０４が表示する測距点枠の表示画像である。
【００２４】
本実施形態のＡＦセンサ１１３は１９点の測距点を有しており、１９点の測距点に対応して、ファインダ内表示部１０４は測距点枠３０１を表示することが可能となっている。さらに、ファインダ内表示部１０４は測距点を中心に大きさの異なる測距点枠３０２、測距点枠３０３、測距点枠３０４を表示することが可能である。ファインダ内表示部１０４として、より表示画素数が多く、画素間隔が狭いものを用いれば、表示可能な測距点枠を増やすことも可能である。
【００２５】
またＡＦセンサ１１３の１９点の全ての測距点に対して、ファインダ内表示部１０４は測距点枠３０１、測距点枠３０２、測距点枠３０３、測距点枠３０４と同じ大きさの測距点枠を表示することが可能である。なおファインダ内表示部１０４は前述の通り、ＡＦセンサ１１３の測距点の位置に合わせて表示位置が調整されている。
【００２６】
同様にＡＦセンサ１１３の測距点に対応した測光センサ１１２の撮像画素の位置情報をカメラ制御部１０１は有しており、ファインダ内表示部１０４の表示位置に対応した、測光センサの撮像画素位置の情報もカメラ制御部１０１は有している。
【００２７】
図３（ａ）は撮影者が光学ファインダにて観察できる被写体像４００を示す図である。図３（ｂ）は図３（ａ）の被写体４００の一部を拡大した被写体像４０１を示す図である。図４は被写体像４０１とファインダ内表示部が表示する測距点枠とが重畳された画像を示す図である。ファインダ内表示制御部１０５は測距点枠制御部１０３が選択した測距点枠３０１、測距点枠３０２、測距点枠３０３、測距点枠３０４のいずれかをファインダ内表示部１０４に表示させる。図５は測距点枠選択部１０３が使用する被写体像４０１の測光結果の領域を示す図である。
【００２８】
測距点枠３０１に重畳される被写体像４０１の測光結果を測距点枠選択部１０３は測光センサ１１２の結果から領域５０１の測光値を抽出する。同様に、測距点枠３０２は領域５０２、測距点枠３０３は領域５０３、測距点枠３０４は領域５０４の測光値を抽出する。なお測光センサ１１２は領域５０１、領域５０２、領域５０３、領域５０４で異なる撮像画素で測光するための画素数を有している。
【００２９】
測距点枠選択部１０３は測光センサ１１２の測光結果から、測距点枠選択部１０３は測距点周辺の被写体像４０１の輝度が所定値よりも低い場合は、通常の大きさである測距点枠３０１を表示する。この時の表示輝度は、被写体像の輝度に対応した表示点灯輝度の対比表に基づいて決定する。
【００３０】
測距点の被写体像４０１の輝度が所定値よりも高い場合は、測距点枠選択部１０３は、領域５０１の被写体像４０１の輝度の平均値を測光センサ１１２によって測定された被写体像の輝度から算出する。同様に領域５０２、領域５０３、領域５０４の被写体像の輝度の平均値も算出する。ＡＦセンサ１１３は被写体像の輝度差を利用して測距を行うため、領域５０１、領域５０２、領域５０３、領域５０４に重畳される被写体像の輝度にも輝度差がある。
【００３１】
測距点枠選択部１０３は領域５０１、領域５０２、領域５０３、領域５０４の被写体像４０１の輝度の平均値が最も小さくなる領域に対応した測距点枠を選択する。ファインダ内表示制御部１０５は測距点枠選択部１０３の選択結果を基づき、測距点枠をファインダ内表示部に測距点枠を表示する。以上により、最も被写体像の輝度の平均値が低い測距点枠を選択して表示することが可能である。なお本実施形態では測距点枠に重畳される被写体像の輝度の平均値が最も低い測距点枠を選択しているが、領域５０１、領域５０２、領域５０３、領域５０４から最も低い輝度の撮像画素を含む領域を測距点枠として選択してもよい。
【００３２】
図６は本実施形態の静止画撮影動作を示すフローチャートである。主としてカメラ制御部１０１およびその内部に格納されているプログラムに従って本処理を実施する。なお、図４に示す動作中であっても、ＳＷ２がオンしたときには、このフローチャートに示す動作を中止して撮影動作に移行する。
【００３３】
まずステップ（以下、Ｓ）１００からスタートして、Ｓ１０１ではレリーズスイッチ (不図示)のＳＷ１がオンしたか否かの判定を行い、オンすると、次のＳ１０２へ進み、オンしていないときはＳ１０１の判定を繰り返す。Ｓ１０２では測光センサ１１２が測光１を行う。測光１で得られた測光結果を基に、露出時間や絞り値等の露出値をカメラ制御部１０１がプログラムに従って演算する。
【００３４】
Ｓ１０３ではＡＦセンサ１１３が複数の領域の測距点にて測距を行う。そしてこれにより得られ各測距点のデフォーカス量とカメラ制御部１０１がプログラムに従って、測距点を選択し、測距点のデフォーカス量とレンズ２００の光学特性を用いて投影レンズ２０１が合焦する位置までレンズ駆動部２０２を通じて駆動する。Ｓ１０４では合焦している状態で測光センサ１１２が測光２を行い、最終的な露出値を決定する。Ｓ１０５では測距点枠選択部１０３がＳ１０３で選択された測距点の被写体像の輝度を、Ｓ１０４の測光２の結果をから算出し、所定値以上か否かを確認する。測距点部の被写体像の輝度が所定値以下の場合、Ｓ１０６へ進み、所定値以上の時はＳ１０７へ進む。
【００３５】
Ｓ１０６では、測距点枠選択部１０３は、通常の大きさである測距点枠３０１を表示する。測距点枠３０１の表示輝度は被写体像輝度に対応した対比表１の表示輝度設定値に従って決定する。Ｓ１０７では、被写体像の輝度が所定値よりも大きいため、測距点枠選択部１０３は領域５０１、領域５０２、領域５０３、領域５０４の被写体像の平均輝度をＳ１０４の測光２の結果から算出する。Ｓ１０８では、測距点選択部１０３は平均輝度が最も低い領域に対応した測距点枠を選択するとともに、選択された測距点枠の平均輝度に対応した対比表２の表示輝度設定値に従って表示輝度を決定する。カメラ制御部１０１は測距点枠選択部１０３が選択した測距点枠と表示輝度に基づき、ファインダ内表示制御部１０５を通じてファインダ内表示部１０４に測距点枠を表示する。
【００３６】
Ｓ１０９では、レリーズスイッチ (不図示)のＳＷ１のオンが継続しているか否かを確認する。ＳＷ１のオンが継続している場合は、Ｓ１１１へ進み、ＳＷ１のオンが継続していない場合は、Ｓ１１０へ進み、Ｓ１１０で測距点枠を非表示にし、初期状態に戻る。Ｓ１１１では、レリーズスイッチ (不図示)のＳＷ２がオンされているか否かを確認する。ＳＷ２がオンしていない場合は、Ｓ１０９に戻り、ＳＷ１のオンが継続しているか否かを再度確認する。ＳＷ２がオンになると、Ｓ１１２に進み、撮影動作を行う。Ｓ１１２では、カメラ制御部１０１はメインミラー１１８およびサブミラー１１９の被写体像の光路上から退避させる。次にＳ１０４にて決定した露出値で、レンズ２００を設定し、シャッター１２１を動作させ、撮像素子１１１にて被写体像の光電変換動作を行わせる。
【００３７】
Ｓ１１３では、カメラ制御部１０１は画像処理部１１０に撮像素子１１１の出力信号から静止画像を生成し、記録媒体制御部を通じて記録媒体に記録し、背面表示制御部１０７を通じて、静止画像を背面表示部１０６に表示する。Ｓ１１４では、上述した一連のシーケンスを終了する。
【００３８】
以上のように、本実施形態のデジタル一眼レフカメラによれば、測距点枠を被写体像輝度が低い領域に重畳して表示することにより、測距点枠の視認性をよくすることが可能である。なお、カメラ制御部１０１、測距点枠選択部１０３、ファインダ内表示制御部１０５、背面表示制御部１０７、記録媒体制御部１０９の制御は、１つのハードウェアで行ってもよいし、複数のハードウェアで分担してもよい。
【００３９】
以上、本発明の好ましい実施形態について説明したが、本発明はこれらの実施形態に限定されず、その要旨の範囲内で種々の変形及び変更が可能である。
【符号の説明】
【００４０】
１００  デジタル一眼レフカメラ本体、１０１  カメラ制御部、１０２  操作部、
１０３  測距点枠選択部、１０４  ファインダ内表示部、
１０５  ファインダ内表示制御部、１０６  背面表示部、１０７  背面表示制御部、
１０８  記録媒体、１０９  記録媒体制御部、１１０  画像処理部、１１１  撮像素子、
１１２  測光センサ、１１３  ＡＦセンサ、１１４  重畳部、１１５  接眼レンズ、
１１６  ペンタプリズム、１１７  ピント板、１１８  メインミラー、
１１９  サブミラー、１２０  ミラー駆動部、１２１  シャッター、
１２２  シャッター駆動部、２００  レンズ、２０１  投影レンズ、
２０２  レンズ駆動部
【図１】
2016102840.tif 000003
【図２】
2016102840.tif 000004
【図３】
2016102840.tif 000005
【図４】
2016102840.tif 000006
【図５】
2016102840.tif 000007
【図６】
2016102840.tif 000008